(57)【要約】  スポーツ練習用の練習クラブが記載され、練習クラブは、クラブシャフト；マウンティングストップに対してそれが静止する静止位置と、ストッパが前記ストップから選択された距離を伸長する伸長位置との間で移動可能なストッパを含む伸長可能な衝突アセンブリ、を含んでいる。練習クラブもしくはバット内部または練習クラブもしくはバット上の非伸長性のストリンガまたは弾性要素の張力を示すために練習クラブまたはバットのシャフト上に配置された張力インジケータを有する、スポーツクラブまたはバットも記載される。練習クラブもしくはバット内部または練習クラブもしくはバット上の非伸長性のストリンガまたは弾性要素の張力を示すために練習クラブまたはバットのシャフト上に配置された張力インジケータを有する、スポーツクラブまたはバットも記載される。
2021512773.tif 000002
【特許請求の範囲】
【請求項１】
スポーツ練習用の練習クラブまたはバットであって、前記練習クラブは、
ハンドル端および遠位端を含むクラブシャフトと、
弾性を有する伸長可能なコネクタ、当該弾性を有する伸長可能なコネクタを選択された量の張力の下に配置するためのテンショナ、およびヘッドを含む伸長可能なヘッドアセンブリと、を含み、
前記ヘッドは、使用時に、前記遠位端においてマウンティングストップに対して静止する静止位置と、クラブがスイングされている間の伸長された位置との間で移動可能であり、このとき、前記ヘッドは、前記遠位端のマウンティングストップから選択された距離を伸長する、スポーツ練習用の練習クラブまたはバット。
【請求項２】
前記コネクタの長さは、前記コネクタの前記張力を変化させるために可変である、請求項１に記載の練習クラブ。
【請求項３】
前記ヘッドの質量は、前記スイングの力を変化させるために可変である、請求項１または２に記載の練習クラブ。
【請求項４】
前記コネクタは、１つ以上の非伸長性コード部分を含む、請求項１または２に記載の練習クラブ。
【請求項５】
前記クラブシャフト上に配置された張力インジケータをさらに含んでいる、請求項１〜３のいずれか１項に記載の練習クラブ。
【請求項６】
前記張力インジケータは、前記コネクタの視界を提供するためにクラブシャフト壁に窓を含む、請求項５に記載の練習クラブ。
【請求項７】
前記コネクタは、プレーヤに張力を示すためのマーキングをその上に含む、請求項５または６に記載の練習クラブ。
【請求項８】
前記クラブシャフトは、スタブシャフトである、請求項１〜７のいずれか１項に記載の練習クラブ。
【請求項９】
前記張力アジャスタは、回転軸の周りに前記弾性コードを引き寄せるように構成された、回転可能なアクチュエータの形態である、請求項２〜８のいずれか１項に記載の練習クラブ。
【請求項１０】
前記張力アジャスタは、前記コネクタを伸長させるまたは引き込むために、回転軸の周りにひもを引き寄せる、回転可能なアクチュエータの形態である、請求項２〜８のいずれか１項に記載の練習クラブ。
【請求項１１】
前記張力アジャスタは、回転軸の回転を容易にするために、前記回転軸上にグリップ領域またはハンドルを含んでもよい、請求項２〜１０のいずれか１項に記載の練習クラブ。
【請求項１２】
前記張力アジャスタは、前記ストッパに対する前記回転軸のリリース位置および係合位置を提供するクラッチを含む、請求項２〜１１のいずれか１項に記載の練習クラブ。
【請求項１３】
前記張力アジャスタは、前記ストッパの両端からアクセス可能な回転軸を含む、請求項２〜１２のいずれか１項に記載の練習クラブ。
【請求項１４】
前記張力アジャスタは、前記クラッチをリリースするために押し下げられるように構成された回転軸を含む、請求項２〜１３のいずれか１項に記載の練習クラブ。
【請求項１５】
前記張力アジャスタは、前記クラブシャフトに対して横方向に延在する回転軸を含む、請求項２〜１４のいずれか１項に記載の練習クラブ。
【請求項１６】
前記張力アジャスタは、前記コードにおける前記張力の前記リリースを制御するラチェットを含むクラッチを含む、請求項２〜１５のいずれか１項に記載の練習クラブ。
【請求項１７】
前記張力アジャスタは、前記クラッチに対するフェイルセーフロッキング位置を提供するためのバイアス要素を含んでもよい、請求項２〜１６のいずれか１項に記載の練習クラブ。
【請求項１８】
マウンティングストップは、前記ヘッドを受けるためのフランジまたはカップの形態において提供される、先行する請求項のいずれか１項に記載の練習クラブ。
【請求項１９】
前記マウンティングストップは、広い表面積上に前記ストッパを受けるために、前記ヘッドまたはストッパの形状と協働する形状である、請求項１８に記載の練習クラブ。
【請求項２０】
前記クラブシャフトを横切る角度に前記マウンティングストップを傾けるためのジョイントを含む、先行する請求項のいずれか１項に記載の練習クラブ。
【請求項２１】
前記ストッパの質量は、前記ストッパ上または前記ストッパ中に質量体レシーバを設けることによって変更される、請求項２〜２０のいずれか１項に記載の練習クラブ。
【請求項２２】
前記ストッパは、中空であり、内部におもりを受けるためのアクセスポートを含む、請求項２１に記載の練習クラブ。
【請求項２３】
前記練習クラブもしくはバット内部または前記練習クラブもしくはバット上の非伸長性のストリンガまたは弾性要素の張力を示すために前記練習クラブまたはバットのシャフト上に配置された張力インジケータを有する、スポーツクラブまたはバット。
【請求項２４】
前記弾性要素は、前記クラブまたはバットのシャフトを固くするために、前記クラブまたはバットを固くする、請求項２３に記載のスポーツクラブ。
【請求項２５】
前記テンションデバイスは、前記クラブまたはバットの１つ以上の部分に沿って剛性を増大させるために、バテンまたはストリンガ要素である、請求項２３または２４に記載のスポーツクラブ。
【請求項２６】
前記ストリンガは、前記クラブ内部で、ラバーマウント上の各端部に取り付けられる、請求項２３、２４または２５に記載のスポーツクラブ。
【請求項２７】
前記ストリンガは、バルサ、竹の形態における木製要素、またはスチール要素、または金属要素、または追加の剛性または圧縮を提供するプラスチック要素である、請求項２３、２４または２５または２６に記載のスポーツクラブ。
【請求項２８】
前記ストリンガは、各端部でケーブルまたは他のコード要素に取り付けられる、請求項２３、２４または２５または２６または２７に記載のスポーツクラブ。
【発明の詳細な説明】
【発明の詳細な説明】
【０００１】
本特許出願の全ては、２０１８年２月２日に出願されたＡＵ２０１８９００３２７、２０１８年８月８日に出願されたＡＵ２０１８９０２９００、および２０１８年１１月２日に出願されたＡＵ２０１８９０４１７３からの優先権を主張し、その全内容は、本明細書中で参考として援用される。
〔技術分野〕
【０００２】
本技術は一般に、練習クラブおよびクラブスイングを練習するための方法に関する。本技術は、ゴルフに特に効果的に適用されるが、クラブおよびバットが使用される、野球、クリケットおよび他のスポーツに適用されてもよい。
【０００３】
〔背景技術〕
クラブスポーツは、困難だがやりがいのあるものである。
【０００４】
特に、ゴルフは、習得するのが非常に困難である。クラブを最適かつ正確にスイングすることは、非常に多くの変動要素が関与するため、非常に困難であり得る。ボール位置、グリップ、手の位置、姿勢、手から前腕の角度、スパイン角度、クラブの長さを含む９０超の変動要素があると言われる。これらの変動要素の多くは、良好なスイングを得るために正しい手順で展開される必要がある。
【０００５】
一つの重要なスイングの変動要素は、ダウンスイングである。初心者のゴルフプレーヤがしばしば経験する特定の問題は、ダウンスイング中に手および腕があまりにも速く動かされ、その結果、クラブが臀部に対してその所望の位置よりも前に動くことである。多くのプロゴルファーの特別な特徴は、彼らのスイングが、ダウンスイング中にゴルファーの手の後方にクラブヘッドの望ましい「遅れ」を組み込んでいることである。故ベン・ホーガンのスイングは、この関係で特に良い例であったと考えられている。
【０００６】
本技術の実施形態のデバイスの特別な利点は、初心者プレーヤがクラブヘッドの上述した望ましい遅れを組み込んだスイングを体験することを容易にすることであるが、説明されるデバイスは、スイングの本態様のみに限定されるものではない。
【０００７】
別の重要なスイングの変動要素はクラブのフォロースルーであり、これは、クラブヘッドがボールを打った後のクラブの動きの軌道および速度である。明らかに、フォロースルーは、少なくとも部分的にはダウンスイングの軌道と速度とに依存する。
【０００８】
わざわざ練習場まで実際に運転すること、または複雑な機械を所有すること、または多くのボールを失うこと、または他の非常に時間がかかって役に立たない気晴らしなしに、通常のクラブでダウンスイング及びフォロースルーを改善することは困難である。いずれにしても、既知の機械で習ったレッスンや、ゴルフ場で習ったレッスンでさえも、実際のゴルフコース上に直接移されうるものであるか否かは明らかではない。
【０００９】
本発明の原理は、良好なスイングがどのように感じられるべきかをプレーヤに体験させるデバイスを提供することである。１つの狙いは、模倣された良好なスイングを繰り返すことにより、プレーヤの脳内および身体内の筋肉記憶を発達させることが可能になることである。１つの目的は、適切な筋肉記憶を発達させた後、プレーヤが自分自身のクラブまたはバットでプレーするときにそれを適用することができ、それによって自分のゲームを改善することである。
【００１０】
本発明者は、スイングトレーニングを容易にし、および／または少なくとも既知の代替物の有用な代替物を提供する練習クラブを提供しようとする。
【００１１】
〔概要〕
広義には、本技術は、ユーザのスイングに関するフィードバックを提供する練習クラブを提供する。
【００１２】
広義には、本技術は、使用時、ユーザのスイング中にユーザに対して触覚を伴うフィードバックを提供する練習クラブを提供する。
【００１３】
広義には、本技術は、スイング中に、クラブシャフト上のグリップ位置にあるときに手を通して感じることができる触覚を提供する練習クラブを提供する。ダウンスイング、および／またはフォロースルーに関して、実際のスイングのスイング力は、練習クラブのシャフトに伝達される。ボールが利用できないか、または他の条件がボールを打つために満たされ得ないかもしれず、そうすると、これは、練習するための便利な方法であり得るか、または練習クラブ上の特定の動的条件を強調することによって正しい技術を教え込むために有用であり得る。感じることができるリターンの衝突は、スナップであってもよく、またはユーザのスイングの速度プロファイルに関する何らかの関連情報をユーザにフィードバックする可聴ノイズであってもよい。
【００１４】
広義には、本技術は、スイング中のスイング軌道の速度プロファイルに関する調整可能な触覚を伴うフィードバックをユーザに提供する練習クラブを提供する。
【００１５】
この構成は、練習クラブがその遠位端に弾性的に保持された質量要素（mass element）を有することであってよい。使用時には、ユーザがダウンスイング中にそれがクラブの遠位端から離れるように駆動されるように、弾性的に保持された質量要素に対する求心力（すなわち、遠心力）を増大させる目的で練習クラブをスイングする。ユーザは、その動きがクラブの遠位端から離れるように感じることができる。また、ユーザは、弾性的に保持された質量体の角度位置がマウンティングストップから離れるのを感じることができる。次に、スイングが良好であれば、弾性的に保持された質量体は、フォロースルーの選択された部分でマウンティングストップにスナップして戻る。プレーヤは、フォロースルーの選択された角度範囲でクラブを減速させることを目的として、フォロースルー中に弾性的に保持された質量体をクラブの遠位端に打ち付けることを目的とすることができる。（フォロースルー中に）垂直からの特定の角度が触覚を伴う衝突のために選択されるように、ユーザはフィードバックを使用してスイングを改善することができる。不十分なスイングにおいて、ダウンスイング中にリターンが起こることさえあり、これはもちろん望ましくなく、ユーザは感覚によってリターンの角度に直ちに気付くことがある。
【００１６】
再びまたは代替的に、明確にするために、この構成は、クラブ内の伸長可能な要素が、ダウンスイング中またはフォロースルー中にマウンティングストップから離れて伸長され、好ましくはフォロースルー中にマウンティングストップに戻るようにされる。ユーザは、クラブが減速させられるスイング中のある点で、シャフトを横切ってまたはシャフトに沿って触覚を伴う衝突を感じさせられる。衝突の位置により、スイングに関するフィードバックが得られる。
【００１７】
本発明の一態様によれば、クラブスポーツ練習用練習クラブが提供され、当該練習クラブは、クラブシャフトと、弾性的に取り付けられた質量体アセンブリと、を含み、前記弾性的に取り付けられた質量体アセンブリは、マウンティングストップに対して静止する静止位置と遠心荷重を受けて伸長された位置との間で移動可能なストッパを含み、このとき、当該ストッパは前記ストップから選択された距離を伸長する。
【００１８】
本発明の別の態様によれば、スポーツ練習用の練習クラブまたはバットが提供され、当該練習クラブは、ハンドル端および遠位端を含むクラブシャフトと、弾性を有する伸長可能なコネクタ、当該弾性を有する伸長可能なコネクタを選択された量の張力の下に配置するためのテンショナ、およびヘッドを含む伸長可能なヘッドアセンブリと、を含み、前記ヘッドは、使用時に、遠位端においてマウンティングストップに対して静止する静止位置と、クラブがスイングされている間の伸長された位置と、の間で移動可能であり、このとき、ヘッドは、遠位端のマウンティングストップから選択された距離を伸長する。
【００１９】
本発明の別の態様によれば、ゴルフスイングを練習する方法が提供され、この方法は、練習クラブ上または練習クラブ内に取り付けられた伸長可能なストッパが、クラブ上またはクラブ内のマウンティングストップに対する静止位置から伸長するように、練習クラブを空気中でスイングすることを含む。
【００２０】
この方法は、ストッパに衝突を伴ってマウンティングストップに戻らせるために、クラブを減速させるステップをさらに含むことができる。
【００２１】
本発明のさらに別の態様によれば、練習クラブまたはバットのシャフト上に配置されて練習クラブまたはバット内または練習クラブまたはバット上の弾性要素の張力を示す張力インジケータを有する、スポーツクラブまたはバットが提供される。
【００２２】
弾性要素は、クラブまたはバットのシャフトを補強するために、クラブまたはバットを補強することができる。
【００２３】
弾性要素は、スイング中にクラブヘッドまたは衝突ストッパのリリースを容易にすることができる。
【００２４】
本技術のさらに別の態様によれば、可塑性要素のための張力デバイスを有するスポーツクラブまたはバットが提供される。
【００２５】
一実施形態において、張力デバイスは、クラブまたはバットの１つ以上の部分に沿って剛性を増大させるために、バテンまたはストリンガ要素であってもよい。本技術の様々な実施形態は、練習クラブを対象にしているが、張力要素はゴルフクラブにおいて使用されてもよい。バテンは、張力の増加が張力インジケータを０．５ｍｍまたは１０ｍｍまたは１．５ｍｍ、２ｍｍ、２．５ｍｍ、３ｍｍ、３．５ｍｍ、４ｍｍまたは４．５ｍｍまたは５ｍｍくらいだけ移動させることができるように、かなり非伸長性であってもよい。コードの調整は、１０、２０、３０、４０、５０、６０、７０、８０、９０、１００、１１０、１２０、１３０、１４０、１５０、１６０、１７０、１８０、１９０、２００、２１０、２２０、２３０、２４０、または２５０くらいまでであってもよい。
【００２６】
クラブ内部で、ストリンガは、ラバーマウント上の各端部に取り付けられることができる。
【００２７】
ストリンガは、バルサ、竹の形態における木製要素、またはスチール要素、または金属要素、または追加の剛性または圧縮を提供するプラスチック要素とすることができる。
【００２８】
クラブは、スチールまたはプラスチック、または金属、または同様の材料の中空管から形成されてもよい。
【００２９】
ストリンガは、張力を受けているときに、取り付けのさらなる柔軟性を提供するために、各端部でケーブルまたは他のコード要素に取り付けることができる。
【００３０】
一実施形態において、クラブシャフトはスタブシャフトであり、これは、短縮されたゴルフクラブに似ており、ゴルフクラブに期待され得る典型的なゴルフクラブヘッドを欠いている。クラブは、規定の長さにすることができる。
【００３１】
一実施形態において、クラブシャフトは少なくとも部分的に中空であり、これはクラブの少なくとも１つの部分が中空であることを言い、弾性的に取り付けされた質量体アセンブリの一部を受け入れおよび／または取り付けるようになっている。
【００３２】
一実施形態において、弾性的に取り付けられた質量体は、弾性要素と、その上に取り付けられたストッパとを含む。弾性要素は、例えばダウンスイングのような等のスイングの加速部分の間には、ストッパがマウンティングストップから離れて伸長できるようにし、フォロースルーまたは減速の間には、衝突をシャフト上またはシャフトに沿って感じさせるようにストッパが後戻りできるように設けられる。
【００３３】
弾性要素は、弾性バンドまたはオクトパスストラップ部分または他の弾性コードであってもよい。弾性要素の構成は、弾性要素内の張力を変化させることができるようにすることができる。この目的のために、張力アジャスタを設けることができる。張力アジャスタは、弾性要素上に配置された協働フック要素によって選択されるように、クラブまたはいくつかの協働要素に沿って間隔をあけた複数のラングまたはステップまたはキャッチまたはフック等の形態であってもよい。
【００３４】
張力アジャスタは、回転軸の周りに弾性コードを引き寄せるように構成された回転可能なアクチュエータの形態であってもよい。
【００３５】
張力アジャスタは、コードを伸長させるまたは引き込むために回転軸の周りにひもを引き寄せる、回転可能なアクチュエータの形態であってもよい。
【００３６】
張力アジャスタは、回転軸の回転を容易にするために、回転軸の上にグリップ領域またはハンドルを含むことができる。
【００３７】
張力アジャスタは、ストッパに対する回転軸のリリース位置および係合位置を提供するクラッチを含むことができる。
【００３８】
張力アジャスタは、ストッパの両端からアクセス可能な回転軸を含むことができる。
【００３９】
張力アジャスタは、クラッチをリリースするために押し下げられ得る回転軸を含んでもよい。
【００４０】
張力アジャスタは、クラブシャフトに対して横方向に延在する回転軸を含んでもよい。
【００４１】
張力アジャスタは、コードにおける張力のリリースを制御するラチェットを含むクラッチを含むことができる。
【００４２】
張力アジャスタは、クラッチに対するフェイルセーフロッキング位置を提供するためのバイアス要素を含むことができる。
【００４３】
マウンティングストップは、クラブシャフトに沿った選択された部分に設けることができる。マウンティングストップは、クラブシャフトに沿った中間部分に配置することができ、これは伸長可能な衝突アセンブリの内部取り付けに好ましい場合がある。代替的には、マウンティングストップは、クラブの遠位端に配置されてもよい。複数のマウンティングストップは、クラブシャフトに沿った選択された複数の点に設けられてもよく、これは、弾性要素に様々な程度の張力を提供する１つの方法を提供することができる。
【００４４】
マウンティングストップは、ストッパを受けるための、フランジまたはカップであってよい。マウンティングストップは、凸面状であってよく、または、広い表面積の上にストッパを受けて、フォロースルー中にそれが後戻りしたときに大きな音を出すために適した協働形状であってよい。少なくとも、凸面形状および／または協働形状は、それが台座位置にあるときに、弾性的に取り付けられた質量体のための安定した台座を提供してよい。
【００４５】
マウンティングストップは、強い衝突およびノイズのための求心性の平面に沿った迅速な後退を容易にするために、クラブシャフトから長手方向外側に向くように配向される。代替的に、マウンティングストップは、幾つかのストッパに適した、側面／横または（使用中の）背向位置に配向されてもよい。背向位置に取り付けられたマウンティングストップの利点は、ストッパを背向方向にリリースし、ストッパを背向方向から受け入れることができるようにすることである。クラブシャフトに対してマウンティングストップが配置され得る、例えば、２０度、２５度、３０度、３５度、４０度、４５度、５０度、５５度、６０度、６５度、７０度、７５度、８０度、８５度等の適切な角度があってもよい。
【００４６】
遠位端は、マウンティングストップのための角度調節を提供するように傾斜してよい。プレーヤのヘッドスピード／高さ／姿勢／物理的な属性特性に合うようにクラブシャフトに対して適当な角度に動かすことができるマウンティングストップを提供するように、ジョイントを含むことができる。
【００４７】
ストッパは、弾性要素上の拡張または小塊の形態であってもよく、その結果、弾性要素は前記ストップを通過できるが、ストッパはそれに反して停止される。ストッパは、所望の空気の流れまたは所望の他の抵抗に応じて、野球用ボール形状の要素、ゴルフボールサイズ、またはオレンジ、こぶし、または風船程度の大きさのボールであってもよい。
【００４８】
ストッパには、窪み、縫い目または他の表面処理があり、ストッパの表面の周りの空気の流れに影響を及ぼすようにレイノルズ数に影響を与える。ストッパは、空気力学的または他の考察に適する、クラブシャフトに対して横方向または縦方向に配置された、円柱、立方体、または他の規則的または不規則な形状の要素であってもよい。ストッパは、直径１００ｍｍ、または２０ｍｍ、または３０ｍｍ、４０ｍｍ、５０ｍｍ、６０ｍｍ、７０ｍｍ、８０ｍｍ、９０ｍｍ、１１０ｍｍ、１２０ｍｍ、１３０ｍｍ、１４０ｍｍ、１５０ｍｍ、１６０ｍｍ、１７０ｍｍ、１８０ｍｍ、１９０ｍｍ、２００ｍｍ、２１０ｍｍ、または選択されたスポーツに適する他の適切な中間の直径またはより大きい直径であってもよい。
【００４９】
ストッパの質量は、プレーヤのスタイルおよび強度に適合するように練習クラブの感触を調整するように変化させることができる。プレーヤは、より重いヘッドの感触を模倣すること、またはより速いスイングを有することを望み、それに応じてストッパの質量を調整することができる。
【００５０】
ストッパの質量は、ストッパ上またはストッパ内に質量体レシーバを設けることによって変化させることができる。一実施形態において、ストッパは、中空であり、内部に、おもりを受けるためのアクセスポートを含む。一実施形態におけるアクセスポートは、例えばハッチの形態のクロージャを含むことができる。ハッチは、クイックリリース（１／４回転または１／２回転）であるかまたはネジ止めされているか、またはキャッチでヒンジ止めされている。
【００５１】
ストッパの質量は、弾性要素に沿って質量体を移動させることにより、変化させることができる。これは、弾性要素のばねの変化をもたらすことができる。
【００５２】
一実施形態において、追加のおもりは、ボールの上流または下流、またはボール上の弾性要素に取り付けることができる。例えば、おもりのカラー（collar）、ディスク、またはクリップもしくは他のリテイナー付きのワッシャを、弾性コードもしくはストラップ上に、またはボール上もしくはボール内に設けることができる。
【００５３】
〔利点〕
練習クラブの実施形態は、ストローク中にリアルタイムの即時の触覚を伴うフィードバックを与えることによって、クラブの必要なスイング加速度、速度、および減速の感覚をプレーヤに与える点で利点を有する。ダウンストロークおよびフォロースルーの一部において、プレーヤは、そのマウントからのストッパの伸長および引っ張りを感じることを求める。プレーヤはまた、フォロースルーの正しい角度で衝突を感じることを使用時に求めることができる。ストッパの伸長、引っ張り、または衝突が、ある望ましくない角度で感じられる場合、プレーヤは、何を間違って行ったか、および次のストロークを改善するために何を行わなければならないかを感じることができる。プレーヤは、実際のクラブおよびバットでの実際のゲームプレイにおいて、その筋肉記憶をストロークに当てはめることができる。
【００５４】
〔説明〕
本明細書において、文書、行為または知識の項目が参照または考察される場合、この参照または考察は、その文書、行為または知識の項目またはそれらの組合せが、優先日に、（ａ）共通の一般知識の一部であった、または（ｂ）本明細書に関連するあらゆる問題を解決しようとする試みに関連することが知られていた、ことを認めるものではない。
【００５５】
本明細書の説明および特許請求の範囲全体にわたって、「備える（ｃｏｍｐｒｉｓｅ）」という語、および例えば「備えている（ｃｏｍｐｒｉｓｉｎｇ）」および「備える（ｃｏｍｐｒｉｓｅｓ）」等の語の変形は、他の変形または追加の構成要素、整数またはステップを排除することを意図しないことに留意されたい。
【００５６】
〔図面の簡単な説明〕
より明確な理解を可能にするために、本技術の実施形態は、添付の図面を参照することによって、以下の図においてさらに説明され、例示される：
図１は、遠位端からの練習クラブの第１の実施形態の等角図であり、可変の質量体ストッパは、明確さの目的のためだけに伸長された位置に示され、少し緩んでいる。すなわち、静止位置またはスイング位置において、ストッパは張力下にあり、マウンティングストップカップ（静止位置）に対して強固であるか、またはより大きな張力下にあってマウンティングストップカップから伸長されている；
図２は、図１に示す練習クラブの左側面図である；
図３Ａは、練習クラブの下面図である；
図３Ｂは、練習クラブの平面図である；
図４は、図１の練習クラブの断面等角図であり、可変の質量体ストッパを示している；
図５は、可変の質量体ストッパの詳細図である；
図６は、可変の質量体ストッパ（図示せず）まで下方に伸長する弾性要素を取り付けるハンドルの詳細図である；
図７は、図１に示された実施形態の等角図である（本質的にこの写真は図１に示されたものと同じである）；
図８は、練習クラブの別の実施形態の等角図であり、本実施形態は、ハンドル内に張力調整のアセンブリを含む；
図９は、内部に配置された張力アセンブリを示すハンドルの詳細図である；
図１０は、おもりに関しては調整可能ではない、第２の実施形態のストッパの詳細な断面図である；
図１１は、コード張力に関して不可能である、第３の実施形態の遠位端の等角図である；
図１２は、良好なストローク中の伸長された配置における、第３の実施形態の遠位端の等角図である；
図１３は、第３の実施形態の遠位端の斜視図であり、ストッパ内のコード張力装置の内部動作を示す；
図１４は、第３の実施形態の遠位端の斜視図であり、明確にするためにわずかに分解されており、コード張力装置の内部動作を示す；
図１５は、第３の実施形態の遠位端の斜視図であり、コード張力装置は、（図１３および図１４におけるような）完全に張った位置を示す；
図１６は、第３の実施形態の遠位端の斜視図であり、張力デバイスは緩んだ位置において示されている；
図１７Ａは、張った位置にある張力デバイスの別の実施形態であり、図示の張力デバイスは、ハンドル内に配置され、コード内の張力を調整するためのキャリッジおよびねじ山付きねじを含む；
図１７Ｂは、キャリッジが緩んだ位置にある、図１７Ａと同様の断面図である；
図１７Ｃは、図１７Ａおよび図１７Ｂにおける張力アジャスタの等角半分解図である；
図１８は、回転の形態における張力デバイスの別の実施形態の断面図である；
図１９は、テンショナの実施形態のいずれかと共に使用することができる、ハンドル上に取り付けられた張力インジケータゲージの斜視図である；
図２０は、練習クラブの遠位端の断面図であり、摩耗を低減するためのカラーを含む弾性コードサポートの実施形態を示しており；および
図２１は、練習クラブの遠位端の断面図であり、そこから半径方向に延在するフランジを有するカラーを含む弾性コードサポートの別の実施形態を示している；
図２２は、展開された位置において示されたグリップを有する、練習クラブの第４の実施形態の遠位端の等角図である；
図２３は、練習クラブの第４の実施形態の遠位端の分解図である；
図２４は、明確にするためにコードが取り除かれた、図２２および図２３に示された第４の実施形態の断面図である；
図２５は、回転軸のクラッチが係合解除位置にあり、且つ明確にするためにコードが取り除かれた、第４の実施形態の断面図である；
図２６は、回転軸のクラッチは、引っ張りまたはリリースのための係合解除位置において示された回転軸のクラッチを有する、第４の実施形態の等角図である；
図２７は、クラッチが係合され、回転軸の周囲の張力をかけられた位置において示されたコードを有する、第４の実施形態の遠位端の断面図である；
図２８は、クラッチが係合され、回転軸上のリリース位置において示されたコードを有する、第４の実施形態の遠位端の断面図である；
図２９は、回転軸クラッチが係合解除され、コードのテンショニングを容易にするために露出した回転軸の端部にグリップ要素を示している、第４の実施形態の遠位端の断面図である；
図３０は、係合位置におけるクラッチラチェットと、コードが明確にするために省略されたことを示している、本技術の第５の実施形態の遠位端の断面図である；
図３１は、回転軸上のリリース位置において示されたコードを有する、第５の実施形態の遠位端の断面図である；
図３２は、回転軸上の張力をかけられた位置において示されたコードを有する、第５の実施形態の遠位端の断面図である；
図３３は、明確にするためにコードを省略した、第５の実施形態の遠位端の分解図であり；並びに
図３４は、係合解除位置におけるストッパおよびクラッチラチェットを示示している、第５の実施形態の遠位端の等角図である。
【００５７】
〔例示的な実施形態の詳細な説明〕
図面を参照すると、プレーヤのスイングに関するフィードバックを提供する練習クラブが示されており、練習クラブは、一様に１０で示される。
【００５８】
使用時、練習クラブは、ダウンスイング中のクラブヘッドの望ましい「遅れ」のダウンスイング経験の感覚をプレーヤに与えることによって、ユーザのスイング中にユーザに触覚を伴うフィードバックを提供する。したがって、プレーヤは、望ましいダウンスイングの実際の物理的な力を体験する。したがって、ダウンスイングに関与するゴルファーのすべての筋肉は望ましい物理的な力を経験し、この経験は、プレーヤの筋肉記憶に蓄えられる。さらに、この経験は、インストラクターの口頭アドバイスが解釈される必要があるのと同じようにプレーヤによって解釈される必要がない。
【００５９】
また、クラブシャフトの減速中に、クラブシャフト３０に対して伸長可能なストッパ２０アセンブリのリターンからの衝突をプレーヤに与えるという追加の経験もあってよい。
【００６０】
本構成は、使用時にプレーヤがクラブシャフト３０を、それを加速する目的でダウンスイングにスイングし、それによって伸長可能なストッパ２１を伸長し、その結果、ストッパ２１はマウンティングストップ２２から離れるようになっている。ストッパ２１は通常、ダウンスイングの遠心力下でマウンティングストップ２２上に存在する。弾性コード要素２６は、ダウンスイング中にマウンティングストップ２２からのストッパ２１の伸長を容易にし、ストッパ２１がクラブシャフト３０から背向する方向において、クラブシャフト３０から離れて長手方向に伸長することを可能にする。この遅れは、部分的には、ストッパ２１およびコード２６の伸長によって受ける空気抵抗によるものもある。
【００６１】
クラブが減速するフォロースルーの間、ストッパ２０は、選択された角度位置でマウンティングストップ２２にスナップして戻る。ユーザは、遅れおよび／または衝突の角度位置を感じ、その結果、遅れまたは衝突のための垂直からの特定の角度範囲が選択されるようにスイングを修正して、次回のスイングを修正することができる。これは、聞くよりもむしろ体が感じるストローク技術についての直接的な指導を提供する。
【００６２】
伸長可能要素２０は、それ自体が伸長可能なストッパアセンブリ２５の一部であるストッパ２１の形態である。伸長可能なストッパアセンブリ２５は、ストッパ２１がマウンティングストップ２２に支えられている静止位置または弛緩位置と、ストッパ２１がマウンティングストップ２２から選択された距離伸長する伸長された位置と、の間をストッパ２１が移動可能なように構成されている。伸長可能なストッパアセンブリ２５は、それに伸長可能な機能を与え、減速時にスナップして戻るストッパ２１がマウントされた弾性要素２６を含む。
【００６３】
クラブシャフト３０は、スタブシャフト３２であり、短縮されたゴルフクラブに似ており、ゴルフクラブに期待される典型的なゴルフクラブヘッドを欠いている。これは、クラブ１０が持ち運び可能であるという利点を提供するが、プレーヤが例えば他の生活上の責任のためにオフィスを離れることができない場合には、都合のよい時間に、おそらく屋内エリアにおいて指導し、練習を可能にする。
【００６４】
クラブシャフト３０は、弾性要素２６の一部を受け入れおよび／または取り付けるために中空である。弾性要素は、オクトパスストラップに見られるように、コードである。
【００６５】
弾性要素２６の構成は、その中の張力を変化させるかまたは補うことができるようなものであり、そのような構成の１つを図８および図９に見ることができる。張力アジャスタ４０は、図８および図９において提供され、示される。張力アジャスタ４０は、ハンドルアンカー５２をキャリッジ５１に取り付けることによって、ハンドルアンカー５２とストッパアンカー５０との間の静止距離を変化させる。キャリッジ５１は、張力インサート４２上の４１で示される、複数のラング、ステップ、キャッチまたはフック等の１つに、選択的に取り付けられ得る。ラング４１は、キャリッジ５１上に配置された協働フック４３によって捕まえられるように、インサート４２に沿って間隔を空けられており、キャリッジ５１は、順番にそれに固定された弾性要素２６を有する。
【００６６】
マウンティングストップ２２は、シャフトの遠位端３３に設けられる。マウンティングストップ２２は、ストッパ２１を受け入れるカップ２７として示される。マウンティングストップ２２は、ストッパ２１を広い表面積で受け入れ、ストッパ２１を受け入れるための確実なプラットフォームを提供し、および／またはフォロースルー中に大きな音および確実な衝突を作るために、凸面状である。
【００６７】
マウンティングストップ２２は、クラブシャフトから長手方向外側に向くように配向されており、強い衝突およびノイズのために求心性の平面に沿った迅速な後退を容易にする。図示されていないが、クラブシャフトの遠位位置は、傾斜するように構成されてもよい。傾斜を容易にするためにジョイントを設けることができる。既知の回転軸は、軸を提供してもよく、一対の協働するスカラッププレートは、クラブシャフトに対してマウンティングストップ２２を取り付けるための選択された数値の角度位置：クラブシャフトに対して２０度、２５度、３０度、３５度、４０度、４５度、５０度、５５度、６０度、６５度、７０度、７５度、８０度または８５度または９０度を提供してもよい。
【００６８】
ストッパ２１は、野球用ボール形状の要素のようなボール２３の形態であり、従って、マウンティングストップ開口２４を通ってハンドルを引っ込めることができない。また、ストッパ内には、ストッパ周囲の空気の流れに影響を与える窪みもある。
【００６９】
他の力アジャスタまたは仮の張力アジャスタ４０は、ストッパ２１の質量を変化させることによって作動する。ストッパ２１の質量は、プレーヤのスタイルおよび強度に合わせて練習クラブの感触を調整するように変化させることができる。プレーヤは、より重いヘッドの感触を模倣すること、またはより速いスイングを有することを望み、それに応じてストッパの質量を調整することができる。ストッパ２１の質量は、ストッパ２１上または中に質量体レシーバを設けることによって変化させることができる。図示の実施形態において、ストッパ２１は中空であり、１つ以上のおもり２９を内部に受け入れるためのアクセスポート２８を含む。アクセスポート２８は、一実施形態において、ハッチ３６の形態におけるクロージャ３５を含む。
【００７０】
おもり２９は、ボール２３の内側でそれらががたつくのを止めるために、ばねまたは弾性要素３９によって１つの壁に対して所定の位置に保持される。ばねは、ねじ山に対してクロージャ３５を保持するために長手方向に配置され得、ねじ山に対する摩擦を増大させてアクセスポート２８の端部から外側にそれが押し出されるのを阻止する。
【００７１】
弾性要素は、ハンドルの上端に固定されて、低い周波数の弾性を提供する。
【００７２】
張力アジャスタ４０の別の構成が、図１１〜図１６に示される。図示の構成において、キャリッジ５１を用いてハンドルアンカー５２を動かすことによってストッパアンカー５０とハンドルアンカー５２との間の相対的位置を変化させるのではなく、他の端部は張力をかけられている。すなわち、弾性コード１７のためのストッパアンカー５０は、ハンドルアンカー５２に対するヘッド内部の位置において可変である（図６）。本実施形態において、張力を制御するために、ストッパは、ストッパ２１内におよびストッパ２１周囲にコード１７をガイドするための１つ以上のガイドを含む。本構成は、むしろ、回転軸の近くに水平にコード２６を巻き付けるようなものである。第１ガイドは５４にあり、入口ガイド５５である。このガイドは、開口５６の形態である。入口ガイド５５は、第２ガイド５７へのコード１７の半径方向の回転を円滑にする。第２ガイド５７は、ストッパ内またはストッパ上の周辺経路５９の周囲にコード１７が伸長するようにコード１７の接線回転を円滑にするためのポスト５８の形態である。ストッパが球体である場合、周辺経路５９は、円周経路６０であり、ストッパが例えば正方形または他の多角形である場合、周辺経路５９は、ストッパの周囲をたどることができる、より角度のある経路である。
【００７３】
ストッパアンカー５０を周辺経路５９の周りに引くと、コード１７を周辺経路５９の周りに伸ばし、コード１７を引っ張る。ストッパアンカー５０は、ストッパアンカーポスト６４の形態であり、アンカードライバ６１によって周辺経路５９の周りに引っ張られる。アンカードライバ６１は、ストッパ壁２１に取り付けられたアクチュエータ７０によってストッパ２１に対して移動させることができる。図中のアクチュエータ７０は、ストッパヘッド６２上またはストッパヘッド６２中に取り付けられていることが分かる。使用を容易にするために、ストッパ２１は、互いに相対的に回転可能な２つの半球７２、７３に形成されていることが分かる。一つの張力アクチュエータ７０は、可動の半球７２の形態であり、アンカードライバ６１は、ストッパ２１の可動の半球７２の下または内部に取り付けられている。アンカードライバ６１は、ストッパアンカーポスト６４を受け入れるように協働凹部６３の形態である。半球７２、７３を互いにロックするためのロック７５があり、作動している半球７２は、ユーザがコード１７の張力を選択できるように、その周囲に配置された複数のロックレシーバ７８を有する。図には、５つのロックレシーバ７８が示される。
【００７４】
弾性コードを張るために、ロック７５は、ボタン７７の形状のバイアスロックリリース７６を押し、次いで可動の半球７２を次のロックレシーバ７８まで回すことによってリリースされる。緩めるには、ロックをリリースし、半球７２を反対方向に回転させる。
【００７５】
図１７は、図８および図９に示すテンショナのよりユーザフレンドリーなバージョンであり、キャリッジ５１は、それをねじ山付き筒に取り付けることによってストッパ２１から離れて引き出され、ピン７９を伴って、ハンドル端部９９が回されると、キャリッジ５１を筒に沿って直線的に引き出すことができる。
【００７６】
図１８は、Ｈａｍｍｅｒｓｌａｇの米国特許第５，９３４，５９９号に記載されているテンショナに類似する任意の張力デバイスを示しており、その全体は、参照により本明細書に組み込まれる。システムを要約すると、ケーブル８３の形態において設けられたひも８１があり、これは、キャリッジ８４の一端に配置された低摩擦ガイド８２と、ハンドル８６の端部に配置されたテンションラチェット８５とを通って伸長する。ひも８１における張力は、ひも８１をスプールの周囲に巻き付けるように、ダイアル８６の形態であるアクチュエータ８５を回転させることによって増大させることができる。低摩擦ガイドは、さらに摩擦を低減するためにＵ字形状である。ダイアルは、ダイアルを外側に引っ張り、ラチェットを歯止めから外すことによって、ラチェットにおける張力をリリースすることができる。
【００７７】
図１９は、窓８９とコード２６上のマーキングインジケータ９３とを含む張力インジケータを示す。シャフトのこの領域のコードは、張力のより正確な表示を提供するために比較的伸長性が低くてもよい。コード２６は、再現可能な張力表示を容易にするために、２つの部品、すなわち、１つは非伸長性であり、もう１つは伸長性／弾性であってもよい。窓は、表示を容易にするために、選択された間隔で目盛り８７を含むことができる。インジケータは、ストッパ２１の質量を調整することによって張力が変更される図１〜図７に記載され、示されたものを除いて、本明細書に記載されているすべての実施形態において使用することができる。
【００７８】
図２０および図２１は、カフ９１の形態における摩耗プロテクター９０を示す。図２１において、カフ９１は、伸長時および収縮時の摩耗をさらに減少させるためにフランジ９２を有する。
【００７９】
図２２〜図２９は、ストッパ２１に組み込まれた張力デバイスの別の実施形態を示す。これらの他の実施形態を説明する場合、同様の数字は、同様の要素を示し、例えば、ストッパ２１は、１２１および２２１として他の実施形態における同様の要素であることを理解されたい。
【００８０】
図２２〜図２９における構成は、マウンティングストップ１２２上の、弛緩位置に取り付けるストッパ１２１があるようなものである。ストッパ１２１はボールであり、マウンティングストップ１２２は、協働する凹面状フランジであり、ストッパ１２１のための安定した台座を提供する。
【００８１】
この実施形態の特徴的な部分は、張力機構１４０である。張力機構１４０は、ストッパ１２１の張力を増加させるためにその周囲に弾性コード１２６を巻き付けることができる回転軸１０１を含む。
【００８２】
２つの回転軸位置、すなわちロックおよびリリースの間の移動を容易にするクラッチ１０２が設けられる。ロック位置は、図２２、図２４、図２７および図２８に示され、リリース位置は、図２３、図２５、図２６および図２９に示される。
【００８３】
リリース位置は、回転軸が横向き位置に配置され、ここでは回転軸アクチュエータはアクセス可能であってもよいな。回転軸アクチュエータは、１０３で示されており、図２５に示すフラット１０４のようなグリップ、または図２２に示す配置可能な旋回式ハンドル１０５を含むことができる。使用中のグリップは、コード１２６における張力を増加または減少させるために、より大きな制御の下で回転軸１０１を回転させることを促進する。
【００８４】
クラッチは、端部に犬歯１０６を含み、これは、使用時にストッパ１２１のボア１０７における犬歯と協働する。回転軸１０１の端部は、必要なときに回転軸の回転を提供するために、歯１０７との係合の内外で摺動する。クラッチを係合解除するために、プレーヤは、回転軸歯１０６がボア歯１０７から係合解除されるように、回転軸１０１を歯端部１０６から押し出す。プレーヤは、次いで、ハンドルまたはフラットによって回転軸の他の端部をつかみ、所望の方向に回転軸１０１を回してコード１２６の張力を増加または減少させる。図１９からの張力インジケータは、張力が増加または減少していることを示すために、本実施形態に含まれてもよい。これは、回転軸１０１の張力から明確でない場合に、張力の増加または減少のいずれかの所望の結果を得るために回転軸１０１をどちらに回転させるかをユーザに指示するのに役立つ。
【００８５】
プレーヤは、回転軸を回転させるように、バイアス要素１０８の力に対して回転軸における横方向の圧力を保持し、バイアス要素は、次いで、回転軸歯１０６を戻して、プレーヤによる横方向の力のリリースの際に、歯１０７と係合する。
【００８６】
図３０〜図３４の構成は、別の実施形態であり、図２２〜図２９に関連して説明し図示したものと同様であるが、作動およびクラッチが異なる。
【００８７】
回転軸２０１を含むクラッチが２０２に示されるが、回転軸は、一体となって旋回するようにラチェットキャップ２０９と協働する。ラチェットキャップ２０９は、ストッパ２２１のボア２０７における歯と協働する歯２０６を含む。回転軸２０１は、ラチェットキャップにおける圧力によって横方向にシフトされることができ、ユーザは、回転軸２０１をバイアスばね２０８に対して押し付け、その結果、ラチェット歯２０６は、ボア歯２０７（基本的に図３４の位置に示される）から係合解除される。ラチェットキャップ２０９は、次いで、半径方向の段部を使用することによって回されることができ、次いで、所望の張力（おそらく、図１９の張力インジケータに示される）に達すると、横方向の力がリリースされ、回転軸は、ばね２０８のバイアス力の下で係合位置に戻る。
【００８８】
〔説明〕
本発明に対する改変および改良は、当業者には容易に明らかであろう。このような改変および改良は、本発明の範囲内であることが意図される。
【図面の簡単な説明】
【００８９】
【図１】図１は、遠位端からの練習クラブの第１の実施形態の等角図であり、可変の質量体ストッパは、明確さの目的のためだけに伸長された位置に示され、少し緩んでいる。すなわち、静止位置またはスイング位置において、ストッパは張力下にあり、マウンティングストップカップ（静止位置）に対して強固であるか、またはより大きな張力下にあってマウンティングストップカップから伸長されている。
【図２】図２は、図１に示す練習クラブの左側面図である。
【図３Ａ】図３Ａは、練習クラブの下面図である。
【図３Ｂ】図３Ｂは、練習クラブの平面図である。
【図４】図４は、図１の練習クラブの断面等角図であり、可変の質量体ストッパを示している。
【図５】図５は、可変の質量体ストッパの詳細図である。
【図６】図６は、可変の質量体ストッパ（図示せず）まで下方に伸長する弾性要素を取り付けるハンドルの詳細図である。
【図７】図７は、図１に示された実施形態の等角図である（本質的にこの写真は図１に示されたものと同じである）。
【図８】図８は、練習クラブの別の実施形態の等角図であり、本実施形態は、ハンドル内に張力調整のアセンブリを含む。
【図９】図９は、内部に配置された張力アセンブリを示すハンドルの詳細図である。
【図１０】図１０は、おもりに関しては調整可能ではない、第２の実施形態のストッパの詳細な断面図である。
【図１１】図１１は、コード張力に関して不可能である、第３の実施形態の遠位端の等角図である。
【図１２】図１２は、良好なストローク中の伸長された配置における、第３の実施形態の遠位端の等角図である。
【図１３】図１３は、第３の実施形態の遠位端の斜視図であり、ストッパ内のコード張力装置の内部動作を示す。
【図１４】図１４は、第３の実施形態の遠位端の斜視図であり、明確にするためにわずかに分解されており、コード張力装置の内部動作を示す。
【図１５】図１５は、第３の実施形態の遠位端の斜視図であり、コード張力装置は、（図１３および図１４におけるような）完全に張った位置を示す。
【図１６】図１６は、第３の実施形態の遠位端の斜視図であり、張力デバイスは緩んだ位置において示されている。
【図１７Ａ】図１７Ａは、張った位置にある張力デバイスの別の実施形態であり、図示の張力デバイスは、ハンドル内に配置され、コード内の張力を調整するためのキャリッジおよびねじ山付きねじを含む。
【図１７Ｂ】図１７Ｂは、キャリッジが緩んだ位置にある、図１７Ａと同様の断面図である。
【図１７Ｃ】図１７Ｃは、図１７Ａおよび図１７Ｂにおける張力アジャスタの等角半分解図である。
【図１８】図１８は、回転の形態における張力デバイスの別の実施形態の断面図である。
【図１９】図１９は、テンショナの実施形態のいずれかと共に使用することができる、ハンドル上に取り付けられた張力インジケータゲージの斜視図である。
【図２０】図２０は、練習クラブの遠位端の断面図であり、摩耗を低減するためのカラーを含む弾性コードサポートの実施形態を示している。
【図２１】図２１は、練習クラブの遠位端の断面図であり、そこから半径方向に延在するフランジを有するカラーを含む弾性コードサポートの別の実施形態を示している。
【図２２】図２２は、展開された位置において示されたグリップを有する、練習クラブの第４の実施形態の遠位端の等角図である。
【図２３】図２３は、練習クラブの第４の実施形態の遠位端の分解図である。
【図２４】図２４は、明確にするためにコードが取り除かれた、図２２および図２３に示された第４の実施形態の断面図である。
【図２５】図２５は、回転軸のクラッチが係合解除位置にあり、且つ明確にするためにコードが取り除かれた、第４の実施形態の断面図である。
【図２６】図２６は、回転軸のクラッチは、引っ張りまたはリリースのための係合解除位置において示された回転軸のクラッチを有する、第４の実施形態の等角図である。
【図２７】図２７は、クラッチが係合され、回転軸の周囲の張力をかけられた位置において示されたコードを有する、第４の実施形態の遠位端の断面図である。
【図２８】図２８は、クラッチが係合され、回転軸上のリリース位置において示されたコードを有する、第４の実施形態の遠位端の断面図である。
【図２９】図２９は、回転軸クラッチが係合解除され、コードのテンショニングを容易にするために露出した回転軸の端部にグリップ要素を示している、第４の実施形態の遠位端の断面図である。
【図３０】図３０は、係合位置におけるクラッチラチェットと、コードが明確にするために省略されたことを示している、本技術の第５の実施形態の遠位端の断面図である。
【図３１】図３１は、回転軸上のリリース位置において示されたコードを有する、第５の実施形態の遠位端の断面図である。
【図３２】図３２は、回転軸上の張力をかけられた位置において示されたコードを有する、第５の実施形態の遠位端の断面図である。
【図３３】図３３は、明確にするためにコードを省略した、第５の実施形態の遠位端の分解図である。
【図３４】図３４は、係合解除位置におけるストッパおよびクラッチラチェットを示示している、第５の実施形態の遠位端の等角図である。
【図１】
2021512773.tif 000003
【図２】
2021512773.tif 000004
【図３Ａ】
2021512773.tif 000005
【図３Ｂ】
2021512773.tif 000006
【図４】
2021512773.tif 000007
【図５】
2021512773.tif 000008
【図６】
2021512773.tif 000009
【図７】
2021512773.tif 000010
【図８】
2021512773.tif 000011
【図９】
2021512773.tif 000012
【図１０】
2021512773.tif 000013
【図１１】
2021512773.tif 000014
【図１２】
2021512773.tif 000015
【図１３】
2021512773.tif 000016
【図１４】
2021512773.tif 000017
【図１５】
2021512773.tif 000018
【図１６】
2021512773.tif 000019
【図１７Ａ】
2021512773.tif 000020
【図１７Ｂ】
2021512773.tif 000021
【図１７Ｃ】
2021512773.tif 000022
【図１８】
2021512773.tif 000023
【図１９】
2021512773.tif 000024
【図２０】
2021512773.tif 000025
【図２１】
2021512773.tif 000026
【図２２】
2021512773.tif 000027
【図２３】
2021512773.tif 000028
【図２４】
2021512773.tif 000029
【図２５】
2021512773.tif 000030
【図２６】
2021512773.tif 000031
【図２７】
2021512773.tif 000032
【図２８】
2021512773.tif 000033
【図２９】
2021512773.tif 000034
【図３０】
2021512773.tif 000035
【図３１】
2021512773.tif 000036
【図３２】
2021512773.tif 000037
【図３３】
2021512773.tif 000038
【図３４】
2021512773.tif 000039
【国際調査報告】
2021512773.tif 000040
2021512773.tif 000041
2021512773.tif 000042
2021512773.tif 000043
2021512773.tif 000044